(57)【要約】【課題】  本発明は機能拡張装置に係り、携帯型電子機器用機能拡張装置の機能の拡張性の拡大を実現することを課題とする。【解決手段】  ノートパソコン関連付属装置群５０は、ベイハウジング７０と、フロッピー（登録商標）ディスク装置１１０と、ＣＤ−ＲＯＭ装置１３０と、光磁気ディスク装置１４０と、高容量フロッピー（登録商標）ディスク装置１５０と、ディジタルビデオディスク装置１６０と、ハードディスク装置１７０とよりなる。ノートパソコン用機能拡張装置６０は、ベイハウジング７０に、フロッピー（登録商標）ディスク装置１１０、ＣＤ−ＲＯＭ装置１３０、光磁気ディスク装置１４０、高容量フロッピー（登録商標）ディスク装置１５０、ディジタルビデオディスク装置１６０、ハードディスク装置１７０の中から選択した一つの装置を取り付けることによって構築され、その態様は８つもあり、拡張性は従来のものに比べて格段に広い。【選択図】  図１
2005222563.tif 000002
【特許請求の範囲】
【請求項１】
電子機器と着脱自在に接続され、該電子機器の機能を拡張する機能拡張装置であって、
前記電子機器の機能を拡張する部品ユニットを着脱可能に収納する収納部を備えたことを特徴とする機能拡張装置。
【請求項２】
前記電子機器または前記収納部に収納された部品ユニットを駆動するバッテリパックを収容する収容部を備えたことを特徴とする請求項１記載の機能拡張装置。
【請求項３】
前記収容部に収容されたバッテリパックを充電する充電手段を備えたことを特徴とする請求項２記載の機能拡張装置。
【請求項４】
前記収容部は、前記電子機器に収容されるバッテリパックと同形状をなすバッテリパックを収容可能に構成されていることを特徴とする請求項２記載の機能拡張装置。
【請求項５】
電子機器と着脱自在に接続されて該電子機器の機能を拡張する機能拡張装置に着脱可能に収容される部品ユニットであって、
商用電源を前記電子機器を駆動する電源に変換する手段を備えたことを特徴とする部品ユニット。
【請求項６】
前記電子機器を駆動する電源により前記機能拡張装置に収容されたバッテリパックを充電する手段を備えたことを特徴とする請求項５記載の部品ユニット。
【請求項７】
装置内部を冷却する手段を備えたことを特徴とする請求項１記載の機能拡張装置。
【請求項８】
装置本体の支持角度を調整する手段を備えたことを特徴とする請求項１記載の機能拡張装置。
【請求項９】
前記電子機器の背面側寄りの底面に接続された状態で、前記電子機器のキー操作を容易ならしめる姿勢に支持する形状を有することを特徴とする請求項１記載の機能拡張装置。
【請求項１０】
本体の機能を拡張する機能拡張装置と着脱自在に接続される電子機器であって、
前記電子機器の機能を拡張する部品ユニットを着脱可能に収納する収納部を備えた機能拡張装置と着脱自在に接続されることを特徴とする電子機器。
【発明の詳細な説明】
【技術分野】
【０００１】
本発明は電子機器用機能拡張装置に係り、特に携帯可能な電子機器の機能を拡張して使用する場合に、携帯型電子機器の底面に取り付けられる電子機器用機能拡張装置に関する。
【０００２】
携帯可能な電子機器（いわゆる、ノートパソコン）の付属装置として携帯型電子機器の機能を拡張する携帯型電子機器用機能拡張装置（いわゆる、機能ステーション）が提案されている。この携帯型電子機器用機能拡張装置は、情報記憶媒体装置を内蔵して、携帯型電子機器には無い機能を備えているものであり、携帯型電子機器をその機能を拡張して使用する場合に使用されるものである。携帯型電子機器用機能拡張装置は、携帯型電子機器についてみると、携帯型電子機器自体の機能を限定して、携帯型電子機器自体を薄型にして携帯し易くする役割も有している。よって、携帯型電子機器においては、機能拡張装置は必須となってきている。
【０００３】
また近年、情報記憶媒体が、従来のフロッピー（登録商標）ディスク、ＣＤ−ＲＯＭの他に、光磁気ディスク、高密度記録フロッピー（登録商標）ディスク（ＬＳ−１２０）、ディジタルビデオディスク等が存在しており、多様化してきている。
【０００４】
よって、携帯型電子機器用機能拡張装置は、近年の情報記憶媒体の多様化に対応した構成であることが望ましい。
【０００５】
また、携帯型電子機器用機能拡張装置は、携帯がし易いように小型であることが望ましい。
【０００６】
即ち、携帯型電子機器用機能拡張装置は、機能の拡張性が良いこと、及び小型であることが望ましい。
【背景技術】
【０００７】
図２５は、従来の携帯型電子機器用機能拡張装置１０を、携帯型電子機器であるノートパソコン２０と併せて示す。機能拡張装置１０は、ノートパソコン２０の底面に取り付けられ、コネクタ１１がノートパソコン２０のコネクタ２１と接続される。機能拡張装置１０は、前面側に、フロッピー（登録商標）ディスクドライブ１２とＣＤ−ＲＯＭドライブ１３とが組み込まれている構成である。
【０００８】
ノートパソコン２０をその機能を拡張して使用する場合には、機能拡張装置１０が取り付けられ、フロッピー（登録商標）ディスクカートリッジ３０がフロッピー（登録商標）ディスクドライブ１２に装着され、或いは、ＣＤ−ＲＯＭ３１がＣＤ−ＲＯＭドライブ１３に装着される。
【発明の開示】
【発明が解決しようとする課題】
【０００９】
機能拡張装置１０は、フロッピー（登録商標）ディスクドライブ１２とＣＤ−ＲＯＭドライブ１３とが組み込まれている構成であるため、使用することができる情報記憶媒体が、フロッピー（登録商標）ディスクとＣＤ−ＲＯＭとに限られ、現在入手できる他の情報記憶媒体、例えば、光磁気ディスク、高容量フロッピー（登録商標）ディスク（ＬＳ−１２０）、ディジタルビデオディスク等を使用することが出来なかった。即ち、機能拡張装置１０は、拡張性が限定されたものとなり、使い勝手がよくなかった。
【００１０】
また、従来は、機能拡張装置は、保管しておくものであり、携帯することは考えていなかった。よって、図１に示すように、機能拡張装置１０は携帯型電子機器２０と同じ大きさであり、機能拡張装置１０をノートパソコン２０と併せて携帯しようとすると、携帯がしにくかった。
【００１１】
そこで、本発明は上記課題を解決した機能拡張装置、部品ユニット及び電子機器を提供することを目的とする。
【課題を解決するための手段】
【００１２】
請求項１の発明は、電子機器と着脱自在に接続され、該電子機器の機能を拡張する機能拡張装置であって、
前記電子機器の機能を拡張する部品ユニットを着脱可能に収納する収納部を備えた構成としたものである。
【００１３】
請求項２の発明は、前記電子機器または前記収納部に収納された部品ユニットを駆動するバッテリパックを収容する収容部を備えた構成としたものである。
【００１４】
請求項３の発明は、前記収容部に収容されたバッテリパックを充電する充電手段を備えた構成としたものである。
【００１５】
請求項４の発明は、前記収容部は、前記電子機器に収容されるバッテリパックと同形状をなすバッテリパックを収容可能に構成したものである。
【００１６】
請求項５の発明は、電子機器と着脱自在に接続されて該電子機器の機能を拡張する機能拡張装置に着脱可能に収容される部品ユニットであって、
商用電源を前記電子機器を駆動する電源に変換する手段を備えた構成である。
【００１７】
請求項６の発明は、前記電子機器を駆動する電源により前記機能拡張装置に収容されたバッテリパックを充電する手段を備えた構成である。
【００１８】
請求項７の発明は、装置内部を冷却する手段を備えたものである。
【００１９】
請求項８の発明は、装置本体の支持角度を調整する手段を備えたものである。
【００２０】
請求項９の発明は、前記電子機器の背面側寄りの底面に接続された状態で、前記電子機器のキー操作を容易ならしめる姿勢に支持する形状を有する構成である。
【００２１】
請求項１０の発明は、本体の機能を拡張する機能拡張装置と着脱自在に接続される電子機器であって、前記電子機器の機能を拡張する部品ユニットを着脱可能に収納する収納部を備えた機能拡張装置と着脱自在に接続される構成としたものである。
【発明の効果】
【００２２】
請求項１の発明によれば、電子機器と着脱自在に接続され、該電子機器の機能を拡張する機能拡張装置であって、前記電子機器の機能を拡張する部品ユニットを着脱可能に収納する収納部を備えた構成としたものであるため、電子機器の機能を拡張するために用意された複数種類の部品ユニットの中から選択した部品ユニットを収納部に挿入することにより、ユーザのニーズに応じた拡張性の拡大を図ることが出来る。
【００２３】
請求項２の発明によれば、前記電子機器または前記収納部に収納された部品ユニットを駆動するバッテリパックを収容する収容部を備えた構成としたものであるため、機能拡張装置を増設バッテリユニットとしても使用可能であり、長時間携帯も可能となり携帯性の拡大を図ることが出来る。
【００２４】
請求項３の発明は、前記収容部に収容されたバッテリパックを充電する充電手段を備えた構成としたものであるため、機能拡張装置を充電器としても使用可能であり、充電器を単独で携帯する必要がなくなる。
【００２５】
請求項４の発明は、前記収容部は、前記電子機器に収容されるバッテリパックと同形状をなすバッテリパックを収容可能に構成したものであるため、電子機器で使われるバッテリパックと共有化が図れるので、増設バッテリパック用として固有の形体のバッテリパックを用意する必要を無用と出来る。
【００２６】
請求項５の発明は、電子機器と着脱自在に接続されて該電子機器の機能を拡張する機能拡張装置に着脱可能に収容される部品ユニットであって、商用電源を前記電子機器を駆動する電源に変換する手段を備えた構成であるため、部品ユニットを機能拡張装置に装着すれば、機能拡張装置を電子機器を駆動させる電源アダプタとして使用可能であり、電子機器を商用電源で動作させることが可能となる。
【００２７】
請求項６の発明は、前記電子機器を駆動する電源により前記機能拡張装置に収容されたバッテリパックを充電する手段を備えた構成であるため、部品ユニットを機能拡張装置に装着すれば、機能拡張装置を充電器として使用することが出来る。
【００２８】
請求項７の発明は、装置内部を冷却する手段を備えたものであるため、冷却を要する部品ユニットを装着することが可能となり、拡張性の拡大を図ることができる。
【００２９】
請求項８の発明は、装置本体の支持角度を調整する手段を備えたものであるため、ユーザにあった角度に電子機器を保持することができ、操作性を向上させることが出来る。
【００３０】
請求項９の発明は、前記電子機器の背面側寄りの底面に接続された状態で、前記電子機器のキー操作を容易ならしめる姿勢に支持する形状を有する構成であるため、機能拡張装置を電子機器として使用することができ、操作性の向上を図ることが出来る。
【００３１】
請求項１０の発明は、本体の機能を拡張する機能拡張装置と着脱自在に接続される電子機器であって、前記電子機器の機能を拡張する部品ユニットを着脱可能に収納する収納部を備えた機能拡張装置と着脱自在に接続される構成としたものであるため、機能拡張装置側に拡張性の高い拡張機能をもたせ、これと着脱自在に接続可能とすることにより、電子機器自体には必要最小限の機能を付加するだけでよく、電子機器本体の小型・軽量化を図ることが出来る。
【発明を実施するための最良の形態】
【００３２】
以下発明を実施するための最良の形態について説明する。
【実施例１】
【００３３】
図１は本発明の一実施例になるノートパソコン関連付属装置群５０を、電子機器としての携帯型電子機器であるノートパソコン４０と併せて示す。Ｘ１，Ｘ２はノートパソコン４０及び他の装置の幅方向、Ｙ１，Ｙ２は奥行き方向、Ｚ１，Ｚ２は厚さ方向である。
【００３４】
ノートパソコン関連付属装置群５０は、ベイハウジング７０と、フロッピー（登録商標）ディスク装置１１０と、ＣＤ−ＲＯＭ装置１３０と、光磁気ディスク装置１４０と、高容量フロッピー（登録商標）ディスク装置１５０と、ディジタルビデオディスク装置１６０と、ハードディスク装置１７０と、ＡＣ／ＤＣアダプタ１８０と、バッテリパック１９０とよりなる。フロッピー（登録商標）ディスク装置１１０、ＣＤ−ＲＯＭ装置１３０、光磁気ディスク装置１４０、高容量フロッピー（登録商標）ディスク装置１５０、ディジタルビデオディスク装置１６０、ハードディスク装置１７０が特許請求の範囲の欄記載の部品ユニットを構成する。
【００３５】
ノートパソコン用機能拡張装置６０は、ベイハウジング７０に、バッテリパック１９０を取り付けると共に、フロッピー（登録商標）ディスク装置１１０、ＣＤ−ＲＯＭ装置１３０、光磁気ディスク装置１４０、高容量フロッピー（登録商標）ディスク装置１５０、ディジタルビデオディスク装置１６０、ハードディスク装置１７０、ＡＣ／ＤＣアダプタ１８０の中から選択した一つの装置を取り付けることによって構築され、その態様は８つもあり、拡張性は従来のものに比べて格段に広い。このノートパソコン用機能拡張装置６０は、ノートパソコン４０の底面に取り付けられる。また、ノートパソコン用機能拡張装置６０は、バッテリパック１９０の充電器としての機能を有し、且つ、ノートパソコン４０のスタンドとしての機能も有する。
【００３６】
ノートパソコン用機能拡張装置６０がノートパソコン４０に取り付けられると、ノートパソコン４０とノートパソコン用機能拡張装置６０とは、図２に示すように電気的に接続された関係になり、ノートパソコン４０は機能が拡張される。
【００３７】
次に、上記ノートパソコン関連付属装置群５０を構成する各付属装置について説明する。
【００３８】
（１）ベイハウジング７０
ベイハウジング７０は、ノートパソコン４０の大きさと比較すると、幅方向の寸法Ａ１が、ノートパソコン４０の幅方向の寸法Ａ２と略等しく、奥行き方向の寸法Ｂ１が、ノートパソコン４０の奥行き方向の寸法Ｂ２の約半分であり、厚さ方向の寸法Ｃ１が、ノートパソコン４０の厚さ方向の寸法Ｃ２と略等しい。ベイハウジング７０は、ノートパソコン４０の約半分の大きさであり、長方形で板状の外形を有し、よって、携帯が可能である。ベイハウジング７０が小型であるのは、後述するようにフロッピー（登録商標）ディスク装置１１０が挿入されるベイを一つ有する構成であるからである。Ｘ１，Ｘ２は機能拡張装置５０にとっては長手方向である。
【００３９】
図３、図４、図５、図６に示すように、ベイハウジング７０は、下半体７１と上半体７２とが組み合わされたものであり、Ｘ２側の半分の部分に空間部である収容部としてのベイ７３を有し、上面７０ａのＸ１側の半分の部分にバッテリパック収容部７４と拡張コネクタ７５を有し、下面７０ｂのＹ１側の辺に沿うＸ１側とＸ２側とにチルト脚７６、７７を有する。ベイハウジング７０は、上面７０ａのＹ２側の辺に沿うＸ１側とＸ２側とに固定の爪７８、７９を有し、同じく上面７０ａのＹ２側の辺に沿うＸ１側とＸ２側とに可動の爪８０、８１を有する。
【００４０】
ベイ７３は、フロッピー（登録商標）ディスク装置１１０等の外形に対応する偏平な空間であり、組み合わされた下半体７１と上半体７２との間に形成されており、Ｘ２側にフロッピー（登録商標）ディスク装置９０等が挿入される開口７３ａを有する。下半体７１の開口７３ａに臨む部位には切り欠き窓８２が形成してある。この切り欠き窓８２は後述するようにベイ７３からフロッピー（登録商標）ディスク装置１１０等を抜く操作がし易いようにするために形成してある。
【００４１】
ベイ７３の奥部には、コネクタ８３が設けてある。
【００４２】
図５に示すように、ベイ７３のＹ２側の辺に沿う部分には、ロック機構８４が設けてある。ロック機構８４は、三角形のロック爪８５とロック解除操作ノブ８６とが一体とされて下半体７１に取り付けてあり、ばね８７によってＹ２方向に付勢されており、ロック爪８５がベイ７３内に突き出ている構成である。ベイハウジング７０の下面７０ｂのノブ８６をＹ１方向にスライド操作することによって、ロック爪８５がベイ７３から後退してベイ７３内に収容されているフロッピー（登録商標）ディスク装置１１０等に対するロックが解除される。
【００４３】
図６に示すように、可動の爪８０、８１は、両端側を下半体７１に支持されているロッド８８の両端側に固定してある。可動の爪８０、８１はばね８９によってＤ１方向に付勢されている。可動の爪８０、８１に関連してロック解除機構９０が設けてある。図６に示すように、ロッド８８からアーム９１が横に延びており、この先端にロック解除操作ノブ９２が、ベイハウジング７０の下面７０ｂに露出して設けてある。このロック解除操作ノブ９２をＺ１方向に押すことによって、可動の爪８０、８１及びロッド８８がばね８９に抗してＤ２方向に回動され、ノートパソコン４０に対するロックが解除される。操作ノブ９２に関連して、ロック機構９３が設けてある。ベイハウジング７０の下面７０ｂの操作ノブ９４をＹ２方向にスライド操作することによって、操作ノブ９２がロックされて操作ノブ９２が操作不可能とされ、操作ノブ９４をＹ１方向にスライド操作することによって、操作ノブ９２に対するロックが解除され、操作ノブ９２を押す操作が可能となる。
【００４４】
図３に示すように、バッテリパック収容部７４は、図９（Ａ），（Ｂ）に示すバッテリパック１９０に対応する形状の凹部であり、上半体７２に形成してある。バッテリパック収容部７４に関連して、端子９５及びロック機構９６が設けてある。ロック機構９６はロック爪９７、９８と操作ノブ９９とよりなる。バッテリパック１９０は、ノートパソコン４０のバッテリパック４７と同じ形状のものである。
【００４５】
また、ベイハウジング７０内には、冷却手段としての回転ファン１００が、上半体７２の裏面に取り付けられて設けてある。下半体７１には、回転ファン１００の側面側の吹き出し口１０１に対向する部位に、下面７０ｂに開口であり空気を斜めに吹き出すように案内する風穴１０２が形成してある。
【００４６】
チルト脚７６、７７は立ち上げ可能な構成であり、通常は、図４に示すように折り畳まれて倒されている。
【００４７】
また、ベイハウジング７０内には、充電回路１０３（図２参照）が設けてある。
【００４８】
また、ベイハウジング７０は、図５に示すように、下面７０ｂのうちＹ１寄りの部分に、Ｚ１方向に傾斜した傾斜面７０ｂ１を有し、ノートパソコン４０のスタンドとして機能する形状を有し、ノートパソコン４０の底面のうち奥寄りの部位に取り付けられて、後述するようにノートパソコン４０のスタンドとして機能する。
【００４９】
（２）フロッピー（登録商標）ディスク装置１１０
図１に示すように、上記の各ディスク装置１１０、１３０、１４０、１５０、１６０、１７０及びＡＣ／ＤＣアダプタ１８０は、外形形状がほぼ同じであり、ベイハウジング７０のベイ７３内に差し込むことが可能な偏平な形状であり、差し込み方向（Ｘ１方向）の先端の同じ箇所にコネクタ１１１、１３１、１４１、１５１、１６１、１７１、１８１が設けてある。
【００５０】
図１及び図７（Ａ），（Ｂ）に示すように、フロッピー（登録商標）ディスク装置１１０は、ベイ７３内に差し込むことが可能なベイ７３に対応する偏平な形状であり、差し込み方向（Ｘ１方向）の先端にコネクタ１１１を有する。本体１１２の内部には、ターンテーブル１１３、磁気ヘッド装置１１４等を有し、Ｘ２方向の端にフロッピー（登録商標）ディスク挿入口１１６を有する。また、本体１１２は、Ｙ１側の側面１２０ａにロック用凹部１１７、Ｙ２側の側面１２０ｂに凹部１１８、凹部１１８内にコネクタ１１９、底面１１２ａのうちＸ２方向端の部位（フロッピー（登録商標）ディスク装置１１０をベイ７３内に差し込んだ状態で、切り欠き窓８２に対向する部位）に指掛け部１２０を有する。また、コネクタ１１９は図１０に示すように、ノートパソコン４０の背面に設けられたコネクタ４１ｇとケーブルを介して接続することが出来る。図１１に併せて示すように、フロッピー（登録商標）ディスクカートリッジ１１５は、挿入口１１６を通ってＸ１方向に挿入される。
【００５１】
（３）ＣＤ−ＲＯＭ装置１３０
図１及び図８に示すように、ＣＤ−ＲＯＭ装置１３０は、上記のフロッピー（登録商標）ディスク装置１１０とは、凹部１１８及びコネクタ１１９を有しないことが相違する。ＣＤ−ＲＯＭ装置１３０は、差し込み方向（Ｘ１方向）の先端にコネクタ１３１を有し、図１５に示すようにＸ２方向に引き出される引き出し機構部１３２を有する。この引き出し機構部１３２に、ターンテーブル１３３、光学ヘッド装置１３４等が設けてある。ＣＤ−ＲＯＭ１３５はターンテーブル１３３上に装着される。
【００５２】
（４）光磁気ディスク装置１４０
図１に示すように、光磁気ディスク装置１４０は、上記のＣＤ−ＲＯＭ装置１３０と同じ外形形状を有し、差し込み方向（Ｘ１方向）の先端にコネクタ１４１を有し、内部にターンテーブル１４２、光学ヘッド装置１４３を有する。光磁気ディスクカートリッジ１４４は、挿入口１４５を通ってＸ１方向に挿入される。
【００５３】
（５）高容量フロッピー（登録商標）ディスク装置１５０
図１に示すように、高容量フロッピー（登録商標）ディスク装置１５０は、上記のＣＤ−ＲＯＭ装置１３０と同じ外形形状を有し、差し込み方向（Ｘ１方向）の先端にコネクタ１５１を有し、内部にターンテーブル１５２、磁気ヘッド装置１５３を有する。高容量フロッピー（登録商標）ディスクカートリッジ１５５は、挿入口１５４を通ってＸ１方向に挿入される。
【００５４】
（６）ディジタルビデオディスク装置１６０
図１に示すように、ディジタルビデオディスク装置１６０は、上記のＣＤ−ＲＯＭ装置１３０と同じ外形形状を有し、差し込み方向（Ｘ１方向）の先端にコネクタ１６１を有し、図１８に示すようにＸ２方向に引き出される引き出し１６２を有する。この引き出し１６２に、ターンテーブル１６３、光学ヘッド装置１６４等が設けてある。ディジタルビデオディスク１６５はターンテーブル１３３上に装着される。
【００５５】
（７）ハードディスク装置１７０
図１に示すように、ハードディスク装置１７０は、上記のＣＤ−ＲＯＭ装置１３０と同じ外形形状を有し、差し込み方向（Ｘ１方向）の先端にコネクタ１７１を有し、内部にハードディスク１７２、磁気ヘッド装置１７３等が設けてある。
【００５６】
（８）ＡＣ／ＤＣアダプタ１８０
図１に示すように、ＡＣ／ＤＣアダプタ１８０は、上記のＣＤ−ＲＯＭ装置１３０と同じ外形形状を有し、差し込み方向（Ｘ１方向）の先端にコネクタ１８１を有し、内部にＡＣ／ＤＣ変換部１８２を有し、Ｘ２方向の端面から電源コード１８３が延びている。また、ベイハウジング７０のベイ７３と同じ構造のベイをノートパソコン４０の本体に設け、ＡＣ／ＤＣアダプタ１８０をノートパソコン４０に設けられたベイ内に差し込むことにより、ＡＣ／ＤＣアダプタ１８０をノートパソコン４０の商用電源供給用アダプタとして用いることも可能である。
【００５７】
（９）バッテリパック１９０
図９（Ａ）はバッテリパック１９０を下方から見上げて示し、図９（Ｂ）はバッテリパック１９０を裏返した姿勢で示す。図１及び図９（Ａ），（Ｂ）に示すように、バッテリパック１９０は、略長方形の板状体であり、方向性を決めるために一部に切り欠き部１９１を有し、Ｙ１側の側面に端子１９２と爪部１９３、１９４が設けてあり、Ｙ２側の側面に爪部１９５、１９６、１９７が設けてある構成である。
【００５８】
このバッテリパック１９０は、ノートパソコン４０の内蔵バッテリパック４７と同じ形状のものである。
【００５９】
次に、ノートパソコン４０について説明する。
【００６０】
図１及び図１０（Ａ），（Ｂ）に示すように、ノートパソコン４０は、本体４１と回動される液晶表示部４２とよりなる。本体４１は、上面４１ａ、底面４１ｂ、Ｙ２方向の前面４１ｃ、Ｙ１方向の背面４１ｄ、Ｘ２方向の側面４１ｅ、Ｘ２方向の側面４１ｆを有する。本体４１の上面４１ａには、キーボード部４３が有る。図１０（Ａ）に示すように、本体４１の背面４１ｄにはＸ１、Ｘ２方向端近傍に掛止凹部４４ａ、４４ｂが有る。図１０（Ｂ）に示すように、本体４１の底面４１ｂには、コネクタ４５、掛止凹部４６ａ、４６ｂが有る。掛止凹部４４ａ、４４ｂは、上記のベイハウジング７０の爪８０、８１に対応した配置で、コネクタ４５は、ベイハウジング７０のコネクタ９５に対応した配置で、掛止凹部４６ａ、４６ｂは、ベイハウジング７０の爪７８、７９に対応した配置で設けてある。コネクタ４５は、押し開かれるドア４５ａでもって覆われている。
【００６１】
本体４１の底面４１ｂのＹ２方向寄りの部分には、バッテリパック４７とハードディスク装置４８とが組み込まれている。
【００６２】
次に、上記ベイハウジング７０の使用態様について説明する。
【００６３】
ベイハウジング７０は以下の７つの態様で使用される。
［１］ノートパソコン用機能拡張装置６０の構築
図１１、図１５乃至図１９はノートパソコン用機能拡張装置６０が構築されて使用されている状態を示す。ノートパソコン用機能拡張装置６０は、ベイハウジング７０のバッテリパック収容部７４にバッテリパック１８０が装着され、また、ベイハウジング７０のベイ７３にフロッピー（登録商標）ディスク装置１１０、ＣＤ−ＲＯＭ装置１３０、光磁気ディスク装置１４０、高容量フロッピー（登録商標）ディスク装置１５０、ディジタルビデオディスク装置１６０、ハードディスク装置１７０のうち使用者が選択したいずれか一つが挿入されて構築される。構築されたノートパソコン用機能拡張装置６０は、ノートパソコン４０の底面４１ｂのうち本体４１の背面４１ｄ寄りの部位に４か所で掛止されて取り付けられて使用される。ベイハウジング７０のベイ７３の開口７３ａはノートパソコン本体４１の側面４１ｅ側に位置する。
【００６４】
ノートパソコン用機能拡張装置６０は、以下の態様で構築され、複数の拡張例を有する。
【００６５】
拡張例１（図１１参照）
図１１は拡張例１を示す。バッテリパック１９０をバッテリパック収容部７４に装着し、フロッピー（登録商標）ディスク装置１１０を、図１に示すように、開口７３ａを通してベイ７３内に、その全部が収まるまで挿入する。フロッピー（登録商標）ディスク装置１１０は、コネクタ１１１をコネクタ８３と接続され、ロック用凹部１１７がロック爪８５と係合する。挿入口１１６がベイハウジング７０のＸ２方向端に位置する。
【００６６】
バッテリパック１９０は、図１３に示すように、最初に矢印２００で示すように斜めにバッテリパック収容部７４に差し込み、続いて矢印２０１で示すように倒す操作によって、バッテリパック収容部７４内に収容される。端子１９２と端子９５とが接続され、爪部１９３、１９４がロック爪９７、９８と掛止される。
【００６７】
構築されたノートパソコン用機能拡張装置６０は、図１４に示すように、裏返したノートパソコン４０の底面４１ｂに、最初に矢印２０２で示すように斜めにして、爪７８、７９を掛止凹部４６ａ、４６ｂに嵌合させ、続いて矢印２０３で示すように倒す操作をする。この倒す操作によって、本体４１の背面４１ｄが爪８０、８１をばね８９に抗して図１１中二点鎖線で示すように一旦押し退け、爪８０、８１がばね８９によって戻されて掛止凹部４４ａ、４４ｂと嵌合する。コネクタ９５はドア４５ａを押し開いてコネクタ４５と接続される。この後、操作ノブ９４をＹ２方向にスライドさせて操作ノブ９２をロックする。
【００６８】
構築されたノートパソコン用機能拡張装置６０は、図１２に示すように、Ｙ２側については、爪７８、７９が掛止凹部４６ａ、４６ｂと掛止されて、Ｙ１側については、爪８０、８１が掛止凹部４４ａ、４４ｂと掛止されて、ノートパソコン４０に取り付けられる。
【００６９】
図１１に示すように、フロッピー（登録商標）ディスクカートリッジ１１５が、挿入口１１６を通ってＸ１方向に挿入されてフロッピー（登録商標）ディスク装置１１０に装着される。  構築されたノートパソコン用機能拡張装置６０とノートパソコン４０とは図２に示す状態となり、ノートパソコン４０とフロッピー（登録商標）ディスク装置１１０との間でデータの授受が行われる。バッテリパック１８０はフロッピー（登録商標）ディスク装置１１０及びノートパソコン４０に電力を供給する。
【００７０】
なお、バッテリパック１９０が装着されたベイハウジング７０をノートパソコン４０に取り付け、次いでフロッピー（登録商標）ディスク装置１１０をベイ７３内に挿入する手順でもよい。
【００７１】
拡張例２
図１５は拡張例２を示す。ＣＤ−ＲＯＭ装置１３０がベイハウジング７０のベイ７３に装着してありロック爪８５によってロックされており、コネクタ１３１がコネクタ８３と接続されている。ＣＤ−ＲＯＭ１３５がベイ７３内のＣＤ−ＲＯＭ装置１３０に装着される。構築されたノートパソコン用機能拡張装置６０とノートパソコン４０とは図２に示す状態となり、ノートパソコン４０とＣＤ−ＲＯＭ装置１３０との間でデータの授受が行われる。
【００７２】
拡張例３
図１６は拡張例３を示す。光磁気ディスク装置１４０がベイハウジング７０のベイ７３に装着してありロック爪８５によってロックされており、コネクタ１４１がコネクタ８３と接続されている。光磁気ディスクカートリッジ１４４がベイ７３内の光磁気ディスク装置１４０に装着される。構築されたノートパソコン用機能拡張装置６０とノートパソコン４０とは図２に示す状態となり、ノートパソコン４０と光磁気ディスク装置１４０との間でデータの授受が行われる。
【００７３】
拡張例４
図１７は拡張例４を示す。高容量フロッピー（登録商標）ディスク装置１５０がベイハウジング７０のベイ７３に装着してありロック爪８５によってロックされており、コネクタ１５１がコネクタ８３と接続されている。高容量フロッピー（登録商標）ディスクカートリッジ１５５がベイ７３内の光磁気ディスク装置１４０に装着される。構築されたノートパソコン用機能拡張装置６０とノートパソコン４０とは図２に示す状態となり、ノートパソコン４０と高容量フロッピー（登録商標）ディスク装置１５０との間でデータの授受が行われる。
【００７４】
拡張例５
図１８は拡張例５を示す。ディジタルビデオディスク装置１６０がベイハウジング７０のベイ７３に装着してありロック爪８５によってロックされており、コネクタ１６１がコネクタ８３と接続されている。ディジタルビデオディスク１６５がベイ７３内のディジタルビデオディスク装置１６０に装着される。構築されたノートパソコン用機能拡張装置６０とノートパソコン４０とは図２に示す状態となり、ノートパソコン４０とディジタルビデオディスク１６０との間でデータの授受が行われる。
【００７５】
拡張例６
図１９は拡張例６を示す。ハードディスク装置１７０がベイハウジング７０のベイ７３に装着してありロック爪８５によってロックされており、コネクタ１７１がコネクタ８３と接続されている。構築されたノートパソコン用機能拡張装置６０とノートパソコン４０とは図２に示す状態となり、ノートパソコン４０とハードディスク装置１７０との間でデータの授受が行われる。
【００７６】
なお、ベイハウジング７０がノートパソコン４０に取り付けてある状態で、ベイ７３に装着してあるフロッピー（登録商標）ディスク装置１１０等をＣＤ−ＲＯＭ装置１３０等と入替えることによって、拡張態様を別の態様に変更することが可能である。
【００７７】
図５中ロック解除操作ノブ８６をＹ１方向にスライドさせ、ロック機構８４によるロックを解除させ、図２０に示すように、親指を切り欠き窓８２に露出している指掛け部１２０に当てて強く引くことによって、フロッピー（登録商標）ディスク装置１１０等はベイ７３から抜かれる。ＣＤ−ＲＯＭ装置１３０等は単に挿入するだけでベイ７３に装着される。よって、拡張態様を別の態様に変更する操作は容易である。
【００７８】
ベイ７３内にフロッピー（登録商標）ディスク装置１１０、ＣＤ−ＲＯＭ装置１３０、光磁気ディスク装置１４０、高容量フロッピー（登録商標）ディスク装置１５０、ディジタルビデオディスク装置１６０、ハードディスク装置１７０、ＡＣ／ＤＣアダプタ１８０のうちのどれが装着されたのかは、図２１に示す識別装置２１０でもって識別される。識別装置２１０は、３本のＩＤ線ＩＤ１、ＩＤ２、ＩＤ３を有し、挿入された周辺装置によってＧＮＤに接続される線が相違するようにした構成である。３本のＩＤ線ＩＤ１、ＩＤ２、ＩＤ３のハイ「１」、ロウ「０」の組み合わせに基づいて、８種類の周辺装置を識別出来る。フロッピー（登録商標）ディスク装置１１０が装着された場合には、ＩＤ線ＩＤ１、ＩＤ２、ＩＤ３の信号レベルは「００１」となり、ＣＤ−ＲＯＭ装置１３０が装着された場合には、ＩＤ線ＩＤ１、ＩＤ２、ＩＤ３の信号レベルは「０００」となる。
【００７９】
なお、操作ノブ９４によって操作ノブ９２がロックされているため、取扱中にベイハウジング７０がノートパソコン４０から外れてしまう虞れはない。なお、ベイハウジング７０は、操作ノブ９４をＹ１方向にスライドさせて操作ノブ９２のロックを解除し、操作ノブ９２を押す操作をすることによって、爪８０、８１が掛止凹部４４ａ、４４ｂから抜け出て、ノートパソコン４０から取り外される。
【００８０】
次に、ノートパソコン４０を拡張態様で、テーブル上に置いて使用するときの状態について説明する。
【００８１】
ノートパソコン４０は、図１２及び図２２に示すように、チルト脚７６、７７を立ち上げて、チルト脚７６、７７、ベイハウジング７０（ノートパソコン用機能拡張装置６０）の下面７０ｂのうちＹ１寄りの傾斜面７０ｂ１、及びノートパソコン４０の本体４１の底面４１ｂのうちＹ２方向端の部分４１ｂ１が、テーブル面２２０に支持されて、キーボード部４３が手前に少し傾斜してキー操作がし易い姿勢で支持される。ベイハウジング７０（ノートパソコン用機能拡張装置６０）は、チルト脚７６、７７を立ててスタンドとなる。
【００８２】
機能拡張装置６０の下面７０ｂはテーブル面２２０から浮いており、機能拡張装置６０の下面７０ｂとテーブル面２２０との間には、隙間２２１が形成される。また、回転ファン１００が動作して、空気が風穴１０２より符号２２２で示すように斜めに隙間２２１内に吹き出し、隙間２２１内の空気が外に押し出され隙間２２１内に外の空気が入り込み、隙間２２１内の空気が外の空気によって入れ換えられることが円滑に行われる。
【００８３】
よって、機能拡張装置６０の下面７０ｂの熱が効率よく奪われて、機能拡張装置６０は効率よく空冷される。
【００８４】
回転ファン１００が風穴１０２より空気を吸引する構成の場合であっても、隙間２２１内の空気は外の空気によって効率よく入れ換えられ、よって機能拡張装置６０は効率よく空冷される。
【００８５】
なお、回転ファン１００が設けられていず、隙間２２１が形成されているだけの場合であっても、機能拡張装置６０の下面７０ｂの熱が自然空冷され、効果がある。
【００８６】
なお、ベイハウジングを、チルト脚を有していず、ベイハウジングの下面全体がテーブル面２２０に当接して、ノートパソコン４０のスタンドとなるようにしてもよい。
【００８７】
なお、チルト脚７６、７７を立てる構成とすることによって、ベイハウジング７０（ノートパソコン用機能拡張装置６０）は、ベイハウジングの下面全体がテーブル面２２０に当接する形状にした場合に比べて薄く出来る。
［２］ＡＣ／ＤＣアダプタ１８０の収容
図２３に示すように、ＡＣ／ＤＣアダプタ１８０は、ベイハウジング７０のベイ７３内に挿入された状態でベイハウジング７０と一体に携帯される。
【００８８】
よって、ＡＣ／ＤＣアダプタ１８０をベイハウジング７０とは別に持参する場合に比べて携帯性が良い。
【００８９】
ＡＣ／ＤＣアダプタ１８０が挿入されたベイハウジング７０は、図２２に示すように、ノートパソコン４０に取り付けられ、ＡＣ／ＤＣアダプタ１８０とノートパソコン４０とは図２３の上側の図に示す状態となり、ノートパソコン４０は、商用電源で動作される。
【００９０】
また、図２４に示すように、商用電源がＡＣ／ＤＣアダプタ１８０を通してＤＣ電圧とされたＤＣ電力が充電回路１０３によってバッテリパック収容部７４に収容してあるバッテリパック１９０が充電される。なお、この充電はベイハウジング７０がノートパソコン４０から外されている状態でも可能である。よって、ベイハウジング７０はＡＣ／ＤＣアダプタ１８０をベイ７３に装着することによって、充電器としても機能する。また、ノートパソコン本体に充電回路を設けることにより、ノートパソコン４０のバッテリパック４７をＡＣ／ＤＣアダプタ１８０を用いて充電することも可能である。
【００９１】
ここで、バッテリパック１９０がノートパソコン４０のバッテリパック４７と同じものであるため、バッテリパック４７の電力が消費された後には、バッテリパック４７を取外しベイハウジング７０で充電したバッテリパック１９０を装着することによって、ノートパソコン４０のバッテリパックとして使用することが可能である。
【００９２】
また、充電回路１０３をＡＣ／ＤＣアダプタ１８０に設けた構成としてもよい。この場合には、ノートパソコン本体に充電回路を設けることなくノートパソコン４０のバッテリパック４７を充電することも可能である。
【００９３】
なお、ベイハウジング７０は、ノートパソコン４０とケーブルで接続された構成であってもよい。
【００９４】
また、充電回路をベイハウジング７０の外に設け、充電回路の筐体をベイハウジング７０の下側に接続して設けるようにしてもよい。この場合には、下側から、充電回路の筐体、ベイハウジング（機能拡張装置６０）、ノートパソコン４０の順となる。
【００９５】
第１の発明は、携帯型電子機器に接続されて使用され、該携帯型電子機器の機能を拡張する電子機器用機能拡張装置において、
携帯型電子機器の底面に取り付けられる構造を有し、且つ周辺装置を入れ替えすることが可能であるベイを有するベイハウジングよりなり、
オプションとして準備してある同じ外形を有する複数種類の周辺装置のうちから選択した周辺装置を上記ベイに挿入して電子機器用機能拡張装置が構築される構成としたものである。
【００９６】
空間部内に挿入可能の外形のフロッピー（登録商標）ディスク、ＣＤ−ＲＯＭの他に、光磁気ディスク、高密度記録フロッピー（登録商標）ディスク（ＬＳ−１２０）、ディジタルビデオディスク等の周辺装置を別途用意しておき、必要に応じた周辺装置を選んでベイ内に挿入することによって、拡張性の拡大を図ることが出来る。
【００９７】
第２の発明は、上記ベイハウジングは１つのベイを有する構成としたものである。
【００９８】
ベイが一つであるため、電子機器用機能拡張装置を小型に出来、電子機器用機能拡張装置を携帯することが出来る。
【００９９】
第３の発明は、携帯型電子機器に接続されて使用され、該携帯型電子機器の機能を拡張する電子機器用機能拡張装置において、
携帯型電子機器の底面に取り付けられる構造を有し、且つ周辺装置を入れ替えすることが可能であるベイを有するベイハウジングと、
オプションとして準備してある同じ外形を有する複数種類の周辺装置と同じ外形を有するＡＣ／ＤＣアダプタとよりなり、
該ＡＣ／ＤＣアダプタが上記ベイ内に挿入された構成としたものである。
【０１００】
ＡＣ／ＤＣアダプタを電子機器用機能拡張装置のベイ内に挿入することによって、電子機器用機能拡張装置と一体に携帯することが出来る。ＡＣ／ＤＣアダプタを単独で携帯する面倒が無くなる。また、携帯型電子機器を商用電源で動作させることが可能となる。
【０１０１】
第４の発明は、上記ベイハウジングは、バッテリパックを収容可能であるバッテリパック収容部を有する構成としたものである。
【０１０２】
増設のためのバッテリパックを電子機器用機能拡張装置に取り付けることが出来、よって従来のように増設バッテリパックを電子機器に取り付ける構成に比較して、電子機器に増設バッテリパック接続用のコネクタを設ける必要がなくなる。
【０１０３】
第５の発明は、上記ベイハウジングは、バッテリパックを収容可能であるバッテリパック収容部を有し、且つ、該バッテリパック収容部に収容されたバッテリパックを充電する充電回路を有してなり、
上記ベイ内に上記ＡＣ／ＤＣアダプタを挿入して該バッテリパック収容部に収容されたバッテリパックを充電する構成としたものである。
【０１０４】
電子機器用機能拡張装置をバッテリパックの充電器として使用することが可能となる。
【０１０５】
第６の発明は、上記バッテリパック収容部は、電子機器のバッテリパックと同じ形状のバッテリパックを収容可能な形状である構成としたものである。
【０１０６】
電子機器用機能拡張装置でもって充電したバッテリパックを電子機器に装着して電子機器のバッテリパックとして使用することが可能となる。
【０１０７】
第７の発明は、上記ベイハウジングは、上記携帯型電子機器の底面のうち背面側寄りの部分に取り付けられ、該携帯型電子機器をテーブル上にキー操作がし易い姿勢に支持する形状を有する構成としたものである。
【０１０８】
電子機器用機能拡張装置を携帯型電子機器のスタンドとして使用することが可能となる。
【０１０９】
第８の発明は、上記ベイハウジングは、底面のうち背面側寄りの部分に、通常は倒されており使用するときに立てられて該携帯型電子機器をテーブル上にキー操作がし易い姿勢に支持するチルト脚を有する構成としたものである。  携帯型電子機器をテーブル上において使用するときに、電子機器用機能拡張装置の底面をテーブルから浮かせることが出来、電子機器用機能拡張装置の底面の下側に隙間が出来、よって、電子機器用機能拡張装置の底面がテーブルに当接している場合に比べて、空冷が行われて冷却効果が良くなる。
【０１１０】
第９の発明は、上記ベイハウジングは、該電子機器用機能拡張装置は、底面のうち背面側寄りの部分に、通常は倒されており立てられて該携帯型電子機器をテーブル上にキー操作がし易い姿勢に支持するチルト脚を有し、且つ回転ファンを有し、底面に風穴が形成してある構成としたものである。
【０１１１】
ファンが電子機器用機能拡張装置の底面の下側の隙間に風を送り又は隙間内の空気を吸い込み、この隙間内の空気が外の空気と効率よく入れ換えられ、空冷効果を高めることが可能となる。
【０１１２】
第１０の発明は、同じ外形を有する複数種類の周辺装置と、
該周辺装置と同じ外形を有するＡＣ／ＤＣアダプタと、
携帯型電子機器の底面に取り付けられる構造を有し、且つ上記周辺装置又はＡＣ／ＤＣアダプタを挿入することが可能であるベイと、該携帯型電子機器のバッテリパックと同じ外形形状のバッテリパックを収容可能であるバッテリパック収容部と、バッテリパック収容部に収容されたバッテリパックを充電する充電回路とを有するベイハウジングとよりなり、
複数種類の周辺装置のうちから選択した周辺装置を上記ベイハウジングのベイに挿入して電子機器用機能拡張装置として使用する態様、上記ＡＣ／ＤＣアダプタを上記ベイハウジングのベイに挿入して携帯型電子機器を動作させるのに商用電源を使用する態様、上記バッテリパックを上記バッテリパック収容部に収容し上記ＡＣ／ＤＣアダプタを上記ベイハウジングのベイに挿入して該バッテリパックを充電する使用態様が可能である構成としたものである。
【０１１３】
使用態様が増えて、使い勝手の向上を図ることが可能となる。
【図面の簡単な説明】
【０１１４】
【図１】本発明の一実施例になるノートパソコン用機能装置をノートパソコンと併せて示す図である。
【図２】機能拡張装置とノートパソコンとの関係を示す図である。
【図３】ベイハウジングの斜視図である。
【図４】裏返したベイハウジングの斜視図である。
【図５】ベイハウジングの側面図である。
【図６】ベイハウジングを分解して示す図である。
【図７】フロッピー（登録商標）ディスク装置を示す図である。
【図８】ＣＤ−ＲＯＭ装置を示す図である。
【図９】バッテリパックを示す図である。
【図１０】ノートパソコンの背面と底面とを示す図である。
【図１１】ノートパソコン用機能拡張装置の拡張例１を示す図である。
【図１２】ノートパソコン用機能拡張装置がノートパソコンに取り付けられた状態を示す図である。
【図１３】バッテリパックのベイハウジングへの装着操作を示す図である。
【図１４】ベイハウジングのノートパソコンへの取り付け操作を示す図である。
【図１５】ノートパソコン用機能拡張装置の拡張例２を示す図である。
【図１６】ノートパソコン用機能拡張装置の拡張例３を示す図である。
【図１７】ノートパソコン用機能拡張装置の拡張例４を示す図である。
【図１８】ノートパソコン用機能拡張装置の拡張例５を示す図である。
【図１９】ノートパソコン用機能拡張装置の拡張例６を示す図である。
【図２０】周辺装置のベイからの抜き出しを説明する図である。
【図２１】識別装置を示す図である。
【図２２】図１２中、背面側からみた図である。
【図２３】ＡＣ／ＤＣアダプタを使用した状態を示す図である。
【図２４】ＡＣ／ＤＣアダプタとノートパソコンとの関係を示す図である。
【図２５】従来の携帯型電子機器用機能拡張装置を示す図である。
【符号の説明】
【０１１５】
４０  ノートパソコン
６０  ノートパソコン用機能拡張装置
５０  ノートパソコン関連付属装置群
７０  ベイハウジング
７３  ベイ
７４  バッテリパック収容部
７６、７７  チルト脚
７８、７９、８０、８１  爪
８４  ロック機構
９０  ロック解除機構
９５  コネクタ
９６  ロック機構
１００  ファン
１０２  吹き出し口
１０３  充電回路
１１０  フロッピー（登録商標）ディスク装置
１１１、１３１、１４１、１５１、１６１、１７１  コネクタ
１３０  ＣＤ−ＲＯＭ装置
１４０  光磁気ディスク装置
１５０  高容量フロッピー（登録商標）ディスク装置
１６０  ディジタルビデオディスク装置
１７０  ハードディスク装置
１８０  ＡＣ／ＤＣアダプタ
１９０  バッテリパック
【図１】
2005222563.tif 000003
【図２】
2005222563.tif 000004
【図３】
2005222563.tif 000005
【図４】
2005222563.tif 000006
【図５】
2005222563.tif 000007
【図６】
2005222563.tif 000008
【図７】
2005222563.tif 000009
【図８】
2005222563.tif 000010
【図９】
2005222563.tif 000011
【図１０】
2005222563.tif 000012
【図１１】
2005222563.tif 000013
【図１２】
2005222563.tif 000014
【図１３】
2005222563.tif 000015
【図１４】
2005222563.tif 000016
【図１５】
2005222563.tif 000017
【図１６】
2005222563.tif 000018
【図１７】
2005222563.tif 000019
【図１８】
2005222563.tif 000020
【図１９】
2005222563.tif 000021
【図２０】
2005222563.tif 000022
【図２１】
2005222563.tif 000023
【図２２】
2005222563.tif 000024
【図２３】
2005222563.tif 000025
【図２４】
2005222563.tif 000026
【図２５】
2005222563.tif 000027